(57)【特許請求の範囲】
【請求項１】
送液チューブ（６）を挿通する中空状のハウジング（２）と、該送液チューブ（６）を押圧するローラー（４）とによって構成され、ハウジング（２）内には送液チューブ（６）を挿通する送液チューブ挿通路（３）を有するとともに、ハウジング（２）の両側壁にそれぞれ前記送液チューブ挿通路（３）の長手方向に沿って前記ローラー（４）の左右の支軸（４２，４３）が摺動自在に移動する軸受溝（５１，５２）を有するローラークランプ（１）において、ハウジング（２）は、軸受溝（５１，５２）を設けた上部（２２）と、上部（２２）に支持され右下部（２３Ａ）及び左下部（２３Ｂ）からなる下部（２３）より構成され、右下部（２３Ａ）と上部（２２）の間並びに左下部（２３Ｂ）と上部（２２）の間にはバネ状弾性体（７Ａ，７Ｂ）が支持されており、該ハウジング（２）の下部（２２）が開閉可能であり、該ハウジング（２）が開状態にあるとき、前記ローラー（４）の周面（４１）に対して下方向に送液チューブ（６）の着脱口（８）が形成され、さらに該ハウジング（２）の開または／及び閉状態が、バネ状弾性体（７Ａ，７Ｂ）の付勢により維持されることを特徴とするローラークランプ。
【請求項２】
送液チューブ（６）を挿通する中空状のハウジング（２）と、該送液チューブ（６）を押圧するローラー（４）とによって構成され、ハウジング（２）内には送液チューブ（６）を挿通する送液チューブ挿通路（３）を有するとともに、ハウジング（２）の両側壁にそれぞれ前記送液チューブ挿通路（３）の長手方向に沿って前記ローラー（４）の左右の支軸（４２，４３）が摺動自在に移動する軸受溝（５１，５２）を有するローラークランプ（１）において、ハウジング（２）は、軸受溝（５１，５２）を設けた上部（２２）と、上部（２２）に支持され右下部（２３Ａ）及び左下部（２３Ｂ）からなる下部（２３）より構成され、右下部（２３Ａ）及び左下部（２３Ｂ）が上部（２２）に支持されている点を支点として右下部（２３Ａ）及び左下部（２３Ｂ）の反対側にそれぞれ摘み部（２６Ａ，２６Ｂ）を設け、前記バネ状弾性体（７Ａ，７Ｂ）は上部（２２）と摘み部（２６Ａ，２６Ｂ）の間にそれぞれ支持されており、該ハウジング（２）の下部（２２）が開閉可能であり、該ハウジング（２）が開状態にあるとき、前記ローラー（４）の周面（４１）に対して下方向に送液チューブ（６）の着脱口（８）が形成され、さらに該ハウジング（２）の開または／及び閉状態が、バネ状弾性体（７Ａ，７Ｂ）の付勢により維持されることを特徴とするローラークランプ。
【請求項３】
前記バネ状弾性体（７Ａ，７Ｂ）の付勢によって前記ハウジング（２）の開状態が維持され、さらに該ハウジング（２）には閉状態を維持可能な係止手段を設けたことを特徴とする、請求項１又は２のいずれかに記載のローラークランプ。
【発明の詳細な説明】
【０００１】
【発明の属する技術分野】
本発明は、輸液、輸血セット等の医療器具を構成する送液チューブの途中に配置されるクランプに関する。さらに詳しくは、輸液、輸血セットに容易に後付け可能であり、リサイクル可能なローラークランプに関する。
【０００２】
【従来の技術】
従来より、輸液、輸血セット等に装着されるクランプとして、いわゆるロ−ラークランプがある。ロ−ラークランプは底面と底面の両側に形成された両側壁よりなるハウジングと、ハウジングの両側壁の軸受溝に、その左右の支持軸が支持されたローラとによって構成されるもので、ローラを両側壁の軸受溝に沿って摺動自在となっており、使用に際しては、ロ−ラ−の周面をチューブの直径方向に押圧しつつ回転させて、チューブの断面積を漸次減少させることにより流体の流量を調節するようにするものである。
【０００３】
上記従来のローラークランプは、輸液、輸血セット等に装着するためには、輸液、輸血セット等を組み立てる前に、部品の送液チューブに予め通しておかなければならず、その装着方法として、ローラーをハウジング内の送液チューブを開口させる側へ移動させた状態で、送液チューブ先端をローラーが在る側のハウジング挿通口に挿入し、挿通路へ徐々に押し進めて、送液チューブ先端をハウジング外に押し出した後、ローラークランプを送液チューブの所定の位置へ移動させるとういう手順で行われていた。
【０００４】
また、その他の方法として、ハウジングとローラーを組み立てる前にハウジング内に送液チューブを挿入し、その後ローラの支持軸をハウジングの一方の挿通口から軸受溝に圧入して組み立てる手順によって行われていた。
【０００５】
しかしながら、前者の方法では、取り付け作業に手間がかかり、作業能率が悪いという問題があり、後者においては、ローラの支持軸を圧入するため、相当の力を必要とし、多数のチューブにクランプを装着する作業では、作業者にとって苦痛であった。
【０００６】
上記の問題を解決するものとして、実開平４−１２８７５５号公報に記載のローラークランプがある。このローラークランプは、ハウジングの側壁のうちいずれか一方に、チューブの外径より狭く開口する割込口を設けるものであり、輸液セット等の医療用具のチューブに後付け可能なようになっている。
【０００７】
【発明が解決しようとする課題】
しかしながら、該公報に記載のローラークランプでは、該割込口が送液チューブの外径より狭く形成されているため、チューブを装着する際の作業性が悪く、また、特にチューブから取り外しにくい不都合がある。
【０００８】
また実開平４−９０３５２号公報に記載のローラークランプはそのハウジングの一方の側面が開閉可能で、側面が開状態にあるときチューブ挿通路が側方に向かって開口されるものがあるが、側面の内側にはローラの支軸を支持するための内壁が有るため、該開口はチューブを容易に装着するための十分な空間が確保されるものではない。
【０００９】
本発明の目的は、送液チューブへの着脱が容易、且つリサイクル可能なローラークランプを提供することにある。
【００１０】
【課題を解決するための手段】
本発明者らは鋭意検討の結果、上記課題を解決した。すなわち、本発明の第１は、送液チューブを挿通する中空状のハウジングと、該送液チューブを押圧するローラーとによって構成され、ハウジング内には送液チューブを挿通する送液チューブ挿通路を有するとともに、ハウジングの両側壁にそれぞれ前記送液チューブ挿通路の長手方向に沿って前記ローラーの左右の支軸が摺動自在に移動する軸受溝を有するローラークランプにおいて、ハウジングは、軸受溝を設けられた上部と、上部に支持され右下部及び左下部からなる下部より構成され、右下部と上部の間並びに左下部と上部の間にはバネ状弾性体が支持されており、該ハウジングの下部が開閉可能であり、該ハウジングが開状態にあるとき、前記ローラーの周面に対して下方向に送液チューブの着脱口が形成され、さらに該ハウジングの開または／及び閉状態が、ばね状弾性体の付勢により維持されることを特徴とするローラークランプである。
【００１１】
本発明の第２は、送液チューブを挿通する中空状のハウジングと、該送液チューブを押圧するローラーとによって構成され、ハウジング内には送液チューブを挿通する送液チューブ挿通路を有するとともに、ハウジングの両側壁にそれぞれ前記送液チューブ挿通路の長手方向に沿って前記ローラーの左右の支軸が摺動自在に移動する軸受溝を有するローラークランプにおいて、ハウジングは、軸受溝を設けられた上部と、上部に支持され右下部及び左下部からなる下部より構成され、右下部及び左下部が上部に支持されている点を支点として右下部及び左下部の反対側にそれぞれ摘み部を設け、前記バネ状弾性体は上部と摘み部の間にそれぞれ支持されており、該ハウジング（２）の下部（２２）が開閉可能であり、該ハウジング（２）が開状態にあるとき、前記ローラー（４）の周面（４１）に対して下方向に送液チューブ（６）の着脱口（８）が形成され、さらに該ハウジング（２）の開または／及び閉状態が、バネ状弾性体（７Ａ，７Ｂ）の付勢により維持されることを特徴とするローラークランプである。
【００１２】
本発明の第３は、前記バネ状弾性体の付勢によって前記ハウジングの開状態が維持され、さらに該ハウジングには閉状態を維持可能な係止手段を設けたことを特徴とするローラークランプである。
【００１５】
本発明の特長は、ハウジングの前記ローラーの周面に対して下方向が開口して送液チューブの着脱面が形成されることであり、送液チューブの着脱のための空間が十分に確保されることである。この特長により、送液チューブ着脱の作業性が良好となる利点を有するものである。特に、本発明においては、ハウジングの開閉が上部および下部の間等に支持されたバネ状弾性体の伸縮により行われるので、ワンタッチ操作可能であり、チューブの着脱の作業性が極めて良好である利点を有するものである。
【００１６】
【発明の実施の形態】
以下に本発明の実施の形態について以下図面を用いて説明するが、必ずしもこれらに限定されるものではない。
【００１７】
図１及び図２に示すように本発明のローラクランプ１のハウジング２は、概ね中空円筒状であり、その内部は長手方向に向かって送液チューブが挿通される送液チューブ挿通路３と、ローラー４がチューブ挿通路３の長手方向に沿って摺動するための空間部５が形成されている。ハウジング２の上面２１には、前記ローラー４を摺動操作するための窓が形成され、ローラー４の一部が該窓から突出しており、該突出部４１が指により操作されるようになっている。以下各構成部材について説明する。
【００１８】
［ハウジング］  ハウジング２は、例えば図４および図６に示すように、上部２２および下部２３から構成され、下部２３は上部２２の一方の側面に形成されるヒンジ部２４に支持され、ヒンジ部２４を支点として扉開きするようになっている。他方の側面には上部２２および下部２３双方を閉状態に維持し、且つ閉状態を解除可能とする係止手段としてのロック部２５及び摘み部２６が形成されている。ロック部２５と摘み部２６の係止を解除することにより、ハウジングが後述するローラーの周面に対して下方向に開口し、送液チューブの着脱口８が形成されるようになっている。
【００１９】
また、図５および図７に示すように、ハウジング２の下部がさらに右下部２３Ａ、左下部２３Ｂから構成され、各下部２３Ａ、２３Ｂが上部２２の側面でそれぞれヒンジ部２４Ａ、２４Ｂにより支持され、該ヒンジ部２４Ａ、２４Ｂを支点として観音開きするものであっても良い。このものは、右下部２３Ａ及び上部２２間、左下部２３Ｂ及び上部２２間にそれぞれ支持されたバネ状弾性体７Ａ、７Ｂの付勢によりハウジング２の閉状態が維持されるようになっている。バネ状弾性体は例えば、右下部２３Ａ、左下部２３Ｂと別体あるいは一体的に形成された摘み部２６Ａ、２６Ｂと上部２２の間に支持され、摘み部２６Ａ、２６Ｂを外方に付勢してハウジング２の閉状態を維持するようになっている。該バネ状弾性体７Ａ、７Ｂの復元力に抗して前記各摘み部２６Ａ、２６Ｂをハウジングの軸中心に引き寄せることによりハウジング２は後述するローラーの周面に対して下方向にチューブの着脱口８が形成されるようになっている。
【００２０】
しかしながら、図５のものに限定されるものではなく、バネ状弾性体が右下部２３Ａ及び上部２２間、左下部２３Ｂ及び上部２２間にそれぞれ埋設される形態のものであってもよい。
【００２１】
前記バネ状弾性体は、コイルバネやイタ状バネ等のいずれであってもよい。
【００２２】
また、図４〜７に示す実施の形態以外に、ハウジングを開閉する機構はヒンジ部に埋設された板バネ等のバネ状弾性体の付勢によりハウジングが開状態にされ、ハウジング上部、及び／又は下部に設けられた係止手段によりハウジングが閉状態に維持される形態であってもよい。
【００２３】
また図５および図７に示す実施の形態において、必ずしもバネ状弾性体の付勢によりハウジングの閉状態が維持されるものに限定されず、ハウジングに設けられた図４に示す係止手段と同様な機構を有する係止手段によりハウジングの閉状態が維持され、該係止手段の解除によりハウジングが開状態にされるものであってもよい。
【００２４】
図４及び図５に示すように、前記ハウジング上部２２の空間部５の両側壁には、ハウジングの長手方向に向かって水平方向に軸受溝５１、５２が形成され、該軸受溝５１、５２にローラ４の支軸４２、４３が嵌入されることにより、ローラ４がハウジング２内に支持され且つハウジング長手方向に摺動自在に移動可能となっている。
【００２５】
前記ハウジングの上部および下部が閉状態にある際には、ハウジングの中空内面及びローラーの周面によって形成される四方を囲まれた空間に送液チューブ挿通路３が形成される。すなわち送液チューブ挿通路３は図８〜１０に示すように、上部２２の両側壁と下部２３の表面及びローラーの周面４４によって囲まれた空間、上部２２の両側壁と溝状に形成された下部２３の表面及びローラーの周面４４によって囲まれた空間、または溝状に形成された下部２３の表面及びローラーの周面４４によって囲まれた空間である。
【００２６】
図３に示すように、該送液チューブ挿通路底面３１は長手方向の一端から他端に向かって傾斜しており、傾斜した底面の下流側に前記ローラー４が位置する時、送液チューブ６は完全に開放状態にあり、ローラー４が下流側から上流側に摺動するにつれて、送液チューブ３がローラー４の周面４４に押圧され、漸時その送液チューブ６の開口面積が小さくされ、上流側では送液チューブ６の開口が完全に閉塞されるようになっている。すなわちローラー４が下流側にある際には流量は最大となり、上流側に摺動するにつれてその流量が減少されて、上流側では液体の流れが完全に遮断される。
【００２７】
また、該送液チューブ挿通路底面３１には、チューブをローラーにより押し潰して流量を調節する際に、精度良く流量を調節するため、且つチューブの弾性反力によってローラーの自然移動を防止するための手段としてＶ字状の溝３２を設けるのが好ましい。
【００２８】
［ローラー］  ローラー４は送液チューブ挿通路底面３１と共同して送液チューブ６を押圧する周面４４を有し、前記ハウジング内の軸受溝内を摺動自在に嵌込される支軸４２、４３を有している。ローラー４の送液チューブ６を押圧する周面４４は、概ね送液チューブ６の外径と同じ幅を有しており、その表面には指により操作する際の滑り止めとしてリブが形成されるのが好ましい。
【００２９】
次に、本発明のローラークランプを送液チューブに装着する手順の一例を、図５及び図７を用いて説明する。
【００３０】
まず、図５の状態にあるローラークランプの摘み部２６Ａ、２６Ｂをローラークランプ１の上方向から摘まみ、バネ状弾性体７Ａ、７Ｂの復元力に抗してローラークランプ１の軸中心に向かって引き寄せる。すると、図７に示すように、下部２３Ａ、２３Ｂが観音開きし、ローラーの周面４４の下方向にチューブの着脱口８が形成される。形成された着脱口８をスタンド等にセッティングされた輸液セット等の送液チューブ６に対して向け、着脱口８内に送液チューブ６を取り込み、その後、摘み部２６Ａ、２６Ｂから指を放せば、ハウジング２はバネ状弾性体７Ａ、７Ｂの復元力により閉状態に維持される。
【００３１】
この際ローラー４はハウジング長手方向のどの位置にあってもよく、従来のもののように予めローラーを、ローラーの周面４４とチューブ挿通路底面３１との間隔が広くなる側に位置させる必要がない。また、送液チューブ６は強制挿入によらずともチューブ挿通路３に挿通可能であるためローラークランプ１の送液チューブ６への装脱着の作業性は極めて良好である。
【００３２】
【実施例】
以下に図面を用いて本発明の一実施例について詳細に説明する。
【００３３】
図２は本発明のローラークランプの一実施例を示すの斜視図である。図３は図２に示すローラークランプのＡーＡ断面図である。図５は図２に示すローラークランプのＢーＢ断面図である。図７は図５に示すローラークランプの開状態にある際を示す図である。
【００３４】
図２に示すように、本発明のローラークランプ１は、概ね中空円筒状のハウジング２と、該ハウジング２内を摺動可能なローラー４とから構成されている。
【００３５】
図５に示すように、ハウジング２は上部２２、右下部２３Ａ及び左下部２３Ｂとから構成されている。右下部２３Ａと左下部２３Ｂはそれぞれ上部２２の左右の側面とヒンジ部２４Ａ、２４Ｂを形成し、上部２２に支持されている。右下部２３Ａ及び左下部２３Ｂには摘み部２６Ａ、２６Ｂがそれぞれ連結され、該摘み部２６Ａ、２６Ｂと、前記ハウジング上部２２の該摘み部と対向する側面に設けられた凹部２７Ａ、２７Ｂとの間に若干圧縮されたステンレスバネ７Ａ、７Ｂが挿入されている。摘み部２６Ａ、２６Ｂは若干圧縮されたステンレスバネによって外方向に付勢されているため、ハウジングは通常閉状態にある。摘み部２６Ａ、２６Ｂの双方をステンレスバネの復元力に抗じてローラークランプ１の軸中心方向に引き寄せることにより、摘み部２６Ａ、２６Ｂの操作に連動して右下部２３Ａと左下部２３Ｂが図７に示すごとく観音開きするようになっている。
【００３６】
図２に示すように、ハウジング２の中空内部は、送液チューブ挿通路３と、送液チューブ挿通路３の上方にローラー４の一部を収納する空間部５とが形成されており、ハウジング２の上面２１は、前記ローラー４の突出部４１を摺動操作するための窓が形成されている。
【００３７】
図５に示すように、空間部５の両側壁には、ハウジング長手方向に向かって軸受溝５１、５２が形成され、該軸受溝５１、５２にローラ４の支軸４２、４３が嵌入されており、ローラー４がハウジング２内に支持され且つハウジング長手方向に摺動自在に移動可能となっている。
【００３８】
【発明の効果】
上述のとおり本発明に係るローラークランプは、前記ローラーの周面に対して下方向にチューブの着脱口が形成されるので、チューブの着脱のための空間が十分に確保され、送液チューブ着脱の作業性が良好であり、該効果に付随して、以下の効果も奏する。
▲１▼輸液・輸血セットのように、予めローラークランプが装着されて提供される医療用具の組み立て作業の効率化を図ることができる。
▲２▼予めローラークランプが装着されない医療用具においても、必要がある際にはローラークランプの装着が可能である。
▲３▼本発明のローラークランプの着脱が極めて容易であることから、リサイクル使用（多数回使用）が容易であり、医療用廃棄物の問題解決の一助となる。
▲４▼従来より輸液・輸血セットのように、予めローラークランプが装着されて提供される医療用具にかえて、予めローラークランプが装着されない輸液・輸血セットを提供し、多数回使用可能な本発明のローラークランプを使用時に装着して使用することにより、輸液・輸血セットのコストダウンを図ることができる。
【図面の簡単な説明】
【図１】本発明のローラークランプの一実施例を示す斜視図である。
【図２】本発明のローラークランプのその他の実施例を示す斜視図である。
【図３】図２に示す本発明のローラークランプのＡ−Ａ断面図である。
【図４】図１に示す本発明のローラークランプのＢ−Ｂ断面図であって、閉状態を示す図である。
【図５】図２に示す本発明のローラークランプのＢ−Ｂ断面図であって、閉状態を示す図である。。
【図６】図４に示す本発明のローラークランプの、開状態を示す図である。
【図７】図５に示す本発明のローラークランプの、開状態を示す図である。
【図８】本発明のローラークランプの送液チューブ挿通路を示す断面図である。
【図９】本発明のローラークランプの送液チューブ挿通路を示す断面図である。
【図１０】本発明のローラークランプの送液チューブ挿通路を示す断面図である。
【符号の説明】
１              ローラークランプ
２              ハウジング
２１            ハウジングの上面
２２            上部
２３            下部
２３Ａ          右下部
２３Ｂ          左下部
２４            ヒンジ部
２４Ａ          ヒンジ部
２４Ｂ          ヒンジ部
２５            ロック部
２６            摘み部
２６Ａ          摘み部
２６Ｂ          摘み部
３              送液チューブ挿通路
３１            送液チューブ挿通路底面
４              ローラー
４１            突出部
４２            支軸
４３            支軸
５              空間部
５１            軸受溝
５２            軸受溝
６              送液チューブ
７Ａ、７Ｂ      バネ状弾性体
８              着脱口
【図１】
0003937546.tif 000002
【図２】
0003937546.tif 000003
【図３】
0003937546.tif 000004
【図４】
0003937546.tif 000005
【図５】
0003937546.tif 000006
【図６】
0003937546.tif 000007
【図７】
0003937546.tif 000008
【図８】
0003937546.tif 000009
【図９】
0003937546.tif 000010
【図１０】
0003937546.tif 000011